(57)【要約】【課題】製造容易とし、かつ、外観のデザイン性の低下を防止すること。【解決手段】実施形態に係る筒状吐水装置は、外観部材と、弾性部材と、継手部材とを備える。外観部材は、複数の穴を有する筒状の部材である。弾性部材は、外観部材の内部に配置され、外観部材に配置された状態で、外観部材の内周面側に押し付けられるベース部と、ベース部における外観部材の内周面側に押し付けられる面に突設され穴に挿入される吐水部とを有する。弾性部材は、外観部材に配置されない状態では、ベース部が湾曲しているとともにベース部から複数の吐水部が同じ向きに突出しており、外観部材に配置された状態では、ベース部が外観部材の内周面側に押し付けられて変形することで、吐水部が傾斜している。継手部材は、外観部材の内部に配置され、給水源からの湯水を吐水部へと導く。【選択図】図４
2018110797.tif 000002
【特許請求の範囲】
【請求項１】
複数の穴を有する筒状の外観部材と、
前記外観部材の内部に配置され、前記外観部材に配置された状態で、前記外観部材の内周面側に押し付けられるベース部と、前記ベース部における前記外観部材の内周面側に押し付けられる面に突設され前記穴に挿入される吐水部とを有する弾性部材と
を備え、
前記弾性部材は、
前記外観部材に配置されない状態では、前記ベース部が湾曲しているとともに該ベース部から複数の前記吐水部が同じ向きに突出しており、
前記外観部材に配置された状態では、前記ベース部が前記外観部材の内周面側に押し付けられて変形することで、前記吐水部が傾斜していること
を特徴とする筒状吐水装置。
【請求項２】
前記弾性部材は、
前記外観部材に配置されない状態では、前記ベース部が、前記外観部材の内周面側に押し付けられる面とは反対側の面が凸状となるように湾曲していること
を特徴とする請求項１に記載の筒状吐水装置。
【請求項３】
前記外観部材の内部において該外観部材の前記内周面と前記弾性部材との間に配置され、前記ベース部における前記内周面側に押し付けられる面が当接することで該ベース部を変形させる当接面を有する面規制部材
をさらに備えること
を特徴とする請求項１または２に記載の筒状吐水装置。
【請求項４】
前記弾性部材は、
前記吐水部における湯水の流路に、該吐水部と一体に形成された機能部を有すること
を特徴とする請求項１〜３のいずれか１つに記載の筒状吐水装置。
【請求項５】
前記外観部材の内部において該外観部材の前記内周面と前記弾性部材との間に配置され、前記ベース部における前記内周面側に押し付けられる面が当接することで該ベース部を変形させる当接面を有する面規制部材
をさらに備え、
前記ベース部が軸方向にのみ湾曲し、
前記面規制部材は、
前記当接面が平坦面であること
を特徴とする請求項４に記載の筒状吐水装置。
【請求項６】
前記外観部材の内部に配置され、給水源から供給される湯水を前記弾性部材の前記吐水部へと導く継手部材と、
前記継手部材の軸まわりの回転を防止する回転防止機構と
をさらに備え、
前記回転防止機構は、
ピンと、
前記外観部材に形成され前記ピンが挿入可能な開口と、
前記継手部材に設けられ前記ピンと係合可能な係合部と
を備え、
前記継手部材が前記外観部材に配置された状態で、前記係合部と係合した前記ピンが前記開口に挿入されること
を特徴とする請求項１〜５のいずれか１つに記載の筒状吐水装置。
【請求項７】
前記外観部材の内部において前記穴が形成された側とは反対側の空間に配置され、前記外観部材の前記穴と前記弾性部材の前記吐水部との位置関係を規制すると同時に、前記ピンと前記開口との位置関係を規制する位置規制部材
をさらに備えること
を特徴とする請求項６に記載の筒状吐水装置。
【請求項８】
複数の穴を有する筒状の外観部材と、前記外観部材の内部に配置され、前記外観部材に配置された状態で、前記外観部材の内周面側に押し付けられるベース部と、前記ベース部における前記外観部材の内周面側に押し付けられる面に突設され前記穴に挿入される吐水部とを有する弾性部材とを備えた筒状吐水装置の製造方法であって、
前記ベース部が湾曲しているとともに該ベース部から複数の前記吐水部が同じ向きに突出している前記弾性部材を、前記ベース部を前記外観部材の内周面側に押し付けて変形させることで、前記吐水部を傾斜させる工程
を含むこと
を特徴とする筒状吐水装置の製造方法。
【発明の詳細な説明】
【技術分野】
【０００１】
開示の実施形態は、筒状吐水装置および筒状吐水装置の製造方法に関する。
【背景技術】
【０００２】
従来、シャワーヘッドとして外観形状が円柱形状のデザイン性に優れた筒状吐水装置が知られている。たとえば、筒状吐水装置は、外観部材と、弾性部材と、継手部材とを備える。外観部材は、筒状であり、複数の穴を有する。弾性部材は、外観部材の内部に配置され、ベース部と、吐水部とを備える。
【０００３】
ベース部は、板状に形成される。吐水部は、ベース部における一方の面に複数突設される。複数の吐水部のそれぞれは、弾性部材が外観部材に配置された状態で、複数の穴に挿入される。継手部材は、外観部材の内部に配置され、給水源から供給される湯水を弾性部材の吐水部へと導く（たとえば、特許文献１参照）。
【先行技術文献】
【特許文献】
【０００４】
【特許文献１】特開２０１４−８３２８号公報
【発明の概要】
【発明が解決しようとする課題】
【０００５】
ところで、筒状吐水装置においては、外観部材が筒状であることから、湯水を吐水する吐水部を広い範囲に設けることが難しい。このため、湯水を広い範囲に吐水させるために、吐水部に噴射角度をつける必要がある。
【０００６】
しかしながら、上記したような従来の筒状吐水装置では、たとえば、吐水部の穴を加工して吐水部に噴射角度をつけるようとすると、たとえば、製造時に金型を用いる場合、金型の取り出し方向が穴ごとに異なるため、製造が煩雑になる。また、たとえば、機械加工によって穴を設けるような場合も、方向の異なる多数の穴を形成する必要があるため、加工の軸方向が異なり、製造が煩雑になる。
【０００７】
また、たとえば、弾性部材を外観部材に押し付けて、ベース部を弾性変形させて吐水部に噴射角度をつけるといった方法が考えられるが、外観部材が軸方向に湾曲していないことから、軸方向に噴射角度をつけるためには外観部材の内面を軸方向に湾曲形成する必要があり、外観のデザイン性が低下したり、外観と内面とが異なる形にするために製造が複雑化する場合がある。
【０００８】
実施形態の一態様は、製造が容易となり、かつ、外観のデザイン性の低下を防止することができる筒状吐水装置および筒状吐水装置の製造方法を提供することを目的とする。
【課題を解決するための手段】
【０００９】
実施形態の一態様に係る筒状吐水装置は、複数の穴を有する筒状の外観部材と、前記外観部材の内部に配置され、前記外観部材に配置された状態で、前記外観部材の内周面側に押し付けられるベース部と、前記ベース部における前記外観部材の内周面側に押し付けられる面に突設され前記穴に挿入される吐水部とを有する弾性部材とを備え、前記弾性部材は、前記外観部材に配置されない状態では、前記ベース部が湾曲しているとともに該ベース部から複数の前記吐水部が同じ向きに突出しており、前記外観部材に配置された状態では、前記ベース部が前記外観部材の内周面側に押し付けられて変形することで、前記吐水部が傾斜していることを特徴とする。
【００１０】
かかる構成によれば、弾性部材は、外観部材に配置された状態では、ベース部が変形（弾性変形）することで、吐水部が傾斜している。このように吐水部が傾斜していることで、吐水部に噴射角度がつくようになる。すなわち、外観部材の形状（外観形状）を変更することなく、吐水部に噴射角度をつけることができる。すなわち、吐水部に噴射角度を付与しつつも外観のデザイン性の低下を防止することができる。
【００１１】
また、かかる構成によれば、弾性部材が外観部材に配置されることで吐水部に噴射角度をつけることができるため、吐水部に噴射角度をつけるために外観部材を加工する必要がなく、装置全体として製造が容易となる。また、弾性部材単品についても、複数の吐水部が同じ向きに突出していることで、製造が容易となる。
【００１２】
また、上記した筒状吐水装置では、前記弾性部材は、前記外観部材に配置されない状態では、前記ベース部が、前記外観部材の内周面側に押し付けられる面とは反対側の面が凸状となるように湾曲していることを特徴とする。
【００１３】
かかる構成によれば、弾性部材が外観部材に配置された状態では、吐水部が広がる向きに傾斜している。これにより、吐水部に、湯水を広い範囲に吐水するような噴射角度をつけることができる。
【００１４】
また、上記した筒状吐水装置では、前記外観部材の内部において該外観部材の前記内周面と前記弾性部材との間に配置され、前記ベース部における前記内周面側に押し付けられる面が当接することで該ベース部を変形させる当接面を有する面規制部材をさらに備えることを特徴とする。
【００１５】
かかる構成によれば、面規制部材を有することで、外観部材によらず弾性部材（ベース部）の変形を調節することができる。これにより、外観形状と、吐水部の噴射角度とを別々に設定することができる。
【００１６】
また、上記した筒状吐水装置では、前記弾性部材は、前記吐水部における湯水の流路に、該吐水部と一体に形成された機能部を有することを特徴とする。
【００１７】
かかる構成によれば、弾性部材（吐水部）が機能部を有することで、機能部構造の筒状吐水装置を容易に製造することができるとともに、機能部が弾性部材（吐水部）に一体形成されることでさらに容易に製造することができる。
【００１８】
また、上記した筒状吐水装置では、前記外観部材の内部において該外観部材の前記内周面と前記弾性部材との間に配置され、前記ベース部における前記内周面側に押し付けられる面が当接することで該ベース部を変形させる当接面を有する面規制部材をさらに備え、前記ベース部が軸方向にのみ湾曲し、前記面規制部材は、前記当接面が平坦面であることを特徴とする。
【００１９】
かかる構成によれば、弾性部材（吐水部）が機能部を有する場合、弾性部材（ベース部）が外観部材の軸方向以外の方向（たとえば、軸方向と直交する方向）に変形するのを抑制することができる。これにより、流体素子の発振を安定させることができ、機能部を安定して機能させることができる。
【００２０】
また、上記した筒状吐水装置では、前記外観部材の内部に配置され、給水源から供給される湯水を前記弾性部材の前記吐水部へと導く継手部材と、前記継手部材の軸まわりの回転を防止する回転防止機構をさらに備え、前記回転防止機構は、ピンと、前記外観部材に設けられ前記ピンが挿入可能な開口と、前記継手部材に設けられ前記ピンと係合可能な係合部とを備え、前記継手部材が前記外観部材に配置された状態で、前記係合部と係合した前記ピンが前記開口に挿入されることを特徴とする。
【００２１】
かかる構成によれば、外観部材に対して継手部材が回転することによる弾性部材の回転を防止することができる。これにより、外観部材の穴と弾性部材の吐水部との干渉を抑制することができ、これらの干渉による吐水部の噴射角度のずれを抑制することができる。
【００２２】
また、上記した筒状吐水装置では、前記外観部材の内部において前記穴が形成された側とは反対側の空間に配置され、前記外観部材の前記穴と前記弾性部材の前記吐水部との位置関係を規制すると同時に、前記ピンと前記開口との位置関係を規制する位置規制部材をさらに備えることを特徴とする。
【００２３】
かかる構成によれば、外観部材の内部において位置規制部材がスペーサとなり、継手部材と弾性部材とを密着させることができる。これにより、継手部材と弾性部材との間のシール性能を高めることができる。また、回転防止機構のピンと開口との位置関係を規制することで、回転防止機構を確実に作用させることが可能となる。
【００２４】
実施形態の一態様に係る筒状吐水装置の製造方法は、複数の穴を有する筒状の外観部材と、前記外観部材の内部に配置され、前記外観部材に配置された状態で、前記外観部材の内周面側に押し付けられるベース部と、前記ベース部における前記外観部材の内周面側に押し付けられる面に突設され前記穴に挿入される吐水部とを有する弾性部材とを備えた筒状吐水装置の製造方法であって、前記ベース部が湾曲しているとともに該ベース部から複数の前記吐水部が同じ向きに突出している前記弾性部材を、前記ベース部を前記外観部材の内周面側に押し付けて変形させることで、前記吐水部を傾斜させる工程を含むことを特徴とする。
【００２５】
かかる製法によれば、吐水部を傾斜させることで、吐水部に噴射角度がつくようになる。すなわち、外観部材の形状（外観形状）を変更することなく、吐水部に噴射角度をつけることができる。言い換えると、吐水部に噴射角度を付与しつつも外観のデザイン性の低下を防止することができる。
【００２６】
また、かかる製法によれば、弾性部材が外観部材に配置されることで吐水部に噴射角度をつけることができるため、吐水部に噴射角度をつけるために外観部材を加工する必要がなく、装置全体として製造が容易となる。
【発明の効果】
【００２７】
実施形態の一態様によれば、製造が容易となり、かつ、外観のデザイン性の低下を防止することができる。
【図面の簡単な説明】
【００２８】
【図１】図１は、実施形態に係る筒状吐水装置の外観図である。
【図２】図２は、実施形態に係る筒状吐水装置の分解図である。
【図３】図３は、実施形態に係る筒状吐水装置の断面図である。
【図４】図４は、弾性部材の説明図である。
【図５Ａ】図５Ａは、機能部の説明図（その１）である。
【図５Ｂ】図５Ｂは、機能部の説明図（その２）である。
【図５Ｃ】図５Ｃは、機能部の説明図（その３）である。
【図６Ａ】図６Ａは、実施形態に係る筒状吐水装置の製造工程の説明図（その１）である。
【図６Ｂ】図６Ｂは、実施形態に係る筒状吐水装置の製造工程の説明図（その２）である。
【発明を実施するための形態】
【００２９】
以下、添付図面を参照して、本願の開示する筒状吐水装置および筒状吐水装置の製造方法の実施形態を詳細に説明する。なお、以下に示す実施形態によりこの発明が限定されるものではない。
【００３０】
＜１．筒状吐水装置の概要＞
まず、図１を参照して筒状吐水装置１の概要について説明する。図１は、実施形態に係る筒状吐水装置１の外観図である。なお、図１には、筒状吐水装置１の側面を示している。
【００３１】
図１に示すように、筒状吐水装置１は、シャワーヘッドであり、円柱形状の外観を有する。筒状吐水装置１は、基端部にシャワーホース２が接続可能に構成される。また、筒状吐水装置１は、後述する外観部材３の軸線Ｌ１の方向（軸方向）の中央よりも先端部側に、軸方向に並んだ複数の吐水口４３を有する。吐水口４３は、後述する弾性部材４に形成され、給水源からシャワーホース２を流れて供給される湯水を吐水する。
【００３２】
＜２．筒状吐水装置の内部構造＞
次に、図２〜図４を参照して筒状吐水装置１の内部構造について説明する。図２は、実施形態に係る筒状吐水装置１の分解図である。図３は、実施形態に係る筒状吐水装置１の断面図である。なお、図２には、筒状吐水装置１の側面を示し、図３には、筒状吐水装置１の側断面を示している。
【００３３】
図２および図３に示すように、筒状吐水装置１は、外観部材３と、弾性部材４と、継手部材５と、面規制部材６と、位置規制部材７とを備える。外観部材３は、たとえば、金属製であり、筒（円筒）状の部材である。外観部材３は、筒状吐水装置１の組み立て状態では、先端部に蓋３１がＯリングなどの封止部材３２を介して取り付けられ、先端部側の開口が閉鎖される。
【００３４】
外観部材３には、後端部側の開口から、弾性部材４、継手部材５、面規制部材６および位置規制部材７が挿入される。また、外観部材３は、軸線Ｌ１の方向、すなわち、軸方向の中央よりも先端部側に、軸方向に並んで形成された複数の穴（以下、挿入穴という）３３を有する。
【００３５】
弾性部材４は、弾性を有する部材である。弾性部材４は、たとえば、ゴム製である。弾性部材４は、筒状吐水装置１の組み立て状態では、外観部材３の内部に配置される。また、弾性部材４は、ベース部４１と、吐水部４２とを備える。ベース部４１は、たとえば、矩形板状に形成され、弾性部材４が外観部材３に配置された状態（すなわち、筒状吐水装置１の組み立て状態）では、外観部材３の挿入穴３３が形成された内周面側に押し付けられる。
【００３６】
吐水部４２は、ベース部４１における、弾性部材４が外観部材３に配置された状態で外観部材３の内周面側に押し付けられる面（以下、第１の面という）４１ａに複数突設される。すなわち、吐水部４２は、ベース部４１の第１の面４１ａから柱状に突出している。吐水部４２には、この吐水部４２の軸方向に延びて形成された湯水の流路４２ａを有する。流路４２ａは、ベース部４１を貫通するようにこのベース部４１における第１の面とは反対側の面（以下、第２の面という）４１ｂに連通している。
【００３７】
吐水部４２は、弾性部材４が外観部材３に配置された状態で外観部材３の挿入穴３３に挿入される。また、吐水部４２の先端面には、湯水の流路４２ａに連通しているとともに湯水が吐水される吐水口４３が形成されている。なお、弾性部材４（ベース部４１および吐水部４２）の詳細については、図４を用いて後述する。
【００３８】
継手部材５は、管状の部材である。継手部材５は、筒状吐水装置１の組み立て状態では、外観部材３の内部に配置され、給水源から供給される湯水を弾性部材４の吐水部４２の流路４２ａへと導く。継手部材５は、ホース接続部５１と、湯水流路部５２と、押圧部５３とを備える。ホース接続部５１は、継手部材５の基端部に設けられる。ホース接続部５１は、外周面が雄ネジ状に形成されている。ホース接続部５１には、シャワーホース２（図１参照）が接続される。
【００３９】
湯水流路部５２は、ホース接続部５１に連通しており、継手部材５が外観部材３に配置された状態で弾性部材４の第２の面４１ｂへと湯水Ｗ１を導く。弾性部材４の第２の面４１ｂに導かれた湯水Ｗ１は、弾性部材４の第２の面４１ｂ側から吐水部４２の流路４２ａに流れ込む。なお、継手部材４に供給される湯水Ｗ１は水勢を有しているため、吐水部４２の流路４２ａに流れ込んだ湯水Ｗ２は、所定の水勢で吐水されるようになる。
【００４０】
押圧部５３は、円柱状に形成され、湯水流路部５２の内部において外観部材３の軸方向と直交する方向に、外観部材３の内周面側に向けて突設される。複数の押圧部５３は、外観部材３の軸方向に並んで設けられる。押圧部５３は、継手部材５が外観部材３に配置された状態において弾性部材４を外観部材３の内周面側に向けて押し付ける。また、継手部材５は、ホース接続部５１に取り付けられるフィルタ部材５４をさらに備える。
【００４１】
面規制部材６は、筒状吐水装置１の組み立て状態では、外観部材３の内部において外観部材３の挿入穴３３が形成された側の内周面と弾性部材４との間に配置される。面規制部材６は、面規制部材６が外観部材３に配置された状態でベース部４１の第１の面４１ａが当接する当接面６１を有する。当接面６１は、平坦面であることが好ましい。
【００４２】
また、面規制部材６は、弾性部材４の吐水部４２が挿入穴３３に挿入される前に挿通される複数の挿通穴６２を有する。なお、挿通穴６２は、面規制部材６が外観部材３に配置された状態で外観部材３の軸方向に並んで形成される。
【００４３】
筒状吐水装置１は、回転防止機構８をさらに備える。回転防止機構８は、外観部材３に配置された継手部材５の軸まわりの回転を防止する。回転防止機構８は、ピン８１と、開口８２と、係合部８３とを備える。ピン（以下、回転防止ピンという）８１は、たとえば、樹脂製であり、円弧状に形成されるとともに突起を有する。
【００４４】
開口（以下、回転防止開口という）８２は、外観部材３の外周面に形成される。回転防止開口８２は、回転防止ピン８１が挿入可能に形成される。係合部（以下、回転防止係合部という）８３は、継手部材５に設けられる。具体的には、回転防止係合部８３は、継手部材５が外観部材３に配置された状態で回転防止開口８２と重なる位置に設けられる。回転防止係合部８３は、回転防止ピン８１と係合可能に設けられる。
【００４５】
回転防止機構８では、継手部材５が外観部材３に配置された状態で、回転防止係合部８３と係合した回転防止ピン８１が回転防止開口８２に挿入されることで、外観部材３に対する継手部材５の軸まわりの回転を防止することができる。また、外観部材３に対する継手部材５の軸方向の移動も防止することができる。
【００４６】
位置規制部材７は、スペーサ部材であり、筒状吐水装置１の組み立て状態では、外観部材３の内部において挿入穴３３が形成された側とは反対側の空間に配置される。位置規制部材７は、外観部材３の内部において、継手部材５を間に挟んで弾性部材４を外観部材３の内周面側に押し付ける。位置規制部材７は、外観部材３に配置された状態で、弾性部材４を押し付けることで、外観部材３と弾性部材４とを密着させて挿入穴３３と吐水部４２との位置関係を規制すると同時に、回転防止ピン８１が回転防止開口８２から抜けないようにその位置関係を規制する。
【００４７】
また、位置規制部材７は、外観部材３の内部に配置される部材のうち最も外側、すなわち、内周面側に配置されることで、位置規制部材７を含めて各部材（弾性部材４、継手部材５および面規制部材６）のがたつきを抑えることができる。
【００４８】
次に、図４を参照して弾性部材４の詳細について説明する。図４は、弾性部材４の説明図である。なお、図４には、弾性部材４の配置前および配置後の状態を側断面で模式的に示している。
【００４９】
筒状吐水装置１においては、外観部材３が筒状であることから、湯水を吐水する吐水部４２を広い範囲に設けることが難しいため、湯水を広い範囲に吐水させるために、吐水部４２に噴射角度をつける必要がある。
【００５０】
ここで、たとえば、外観のデザイン性の低下を防止するために外観部材３の内周面を湾曲形成する方法も考えられるが、外観部材３の内周面を湾曲させると、湾曲させた分だけ外観部材３の内部の空間が圧迫される。このため、外観部材３を大型化することになり、外観部材３の大型化によってデザイン性が低下する場合がある。
【００５１】
実施形態に係る筒状吐水装置１では、弾性部材４が外観部材３に配置された状態でベース部４１を弾性変形させて吐水部４２を傾斜させることで、外観部材３を加工することなく、吐水部４２に噴射角度をつける構成とした。
【００５２】
図４に示すように、弾性部材４は、外観部材３（図３参照）に配置されない状態では、ベース部４１が湾曲している。具体的には、ベース部４１は、第２の面４１ｂが側面視で凸状となるように軸方向にのみ湾曲している。つまり、ベース部４１は軸方向以外には湾曲していない。また、吐水部４２は、ベース部４１の第１の面４１ａから同じ向きに突出するように設けられる。すなわち、複数の吐水部４２は、互いに平行となるように設けられる。
【００５３】
また、弾性部材４は、外観部材３に配置された状態では、ベース部４１が外観部材３の内周面側に押し付けられて弾性変形する。具体的には、ベース部４１が継手部材５の押圧部５３（図３参照）に押圧されて面規制部材６の当接面６１に押し付けられることで矢線Ａ方向に広がるように弾性変形して平坦になる。弾性部材４が外観部材３に配置された状態では、ベース部４１が弾性変形していることで、吐水部４２が傾斜している。
【００５４】
このように、吐水部４２は、傾斜していることで外観部材３の軸方向に噴射角度が付与される。なお、吐水部４２の傾斜は、弾性部材４が外観部材３に配置されない状態の吐水部４２の軸線Ｌ２に対して、所定の傾斜角度（噴射角度）αとなる。傾斜角度αは、ベース部４１の中央から遠い位置にある吐水部４２ほど大きく、ベース部４１の中央に近い位置にある吐水部４２ほど小さくなる。
【００５５】
実施形態に係る筒状吐水装置１によれば、弾性部材４は、外観部材３に配置された状態では、ベース部４１が弾性変形することで吐水部４２が傾斜し、吐水部４２が傾斜していることで、吐水部４２に噴射角度がつくようになる。すなわち、外観部材３の形状（筒状吐水装置１の外観形状）を変更することなく、吐水部４２に噴射角度をつけることができる。すなわち、吐水部４２に噴射角度を付与しつつも外観のデザイン性の低下を防止することができる。
【００５６】
また、弾性部材４が外観部材３に配置されることで吐水部４２に噴射角度をつけることができるため、吐水部４２に噴射角度をつけるために外観部材３を加工する必要がなく、筒状吐水装置１全体として製造が容易となる。また、弾性部材４単品についても、複数の吐水部４２が同じ向きに突出していることで、たとえば、金型によって弾性部材４を成形する場合、複数の吐水部４２が同じ向きに突出していることで、金型から弾性部材４を容易に取り外すことができ、製造が容易となる。
【００５７】
また、弾性部材４が外観部材３に配置された状態では、吐水部４２が外観部材３の軸方向に沿って広がるように傾斜し、互いに非平行な方向に突出している。これにより、吐水部４２に、湯水を広い範囲に吐水するような噴射角度をつけることができる。
【００５８】
また、面規制部材６を有することで、外観部材３によらず弾性部材４のベース部４１の弾性変形を設定することができる。これにより、筒状吐水装置１の外観形状と、吐水部４２の噴射角度とを別々に設定することができる。
【００５９】
また、回転防止機構８によって、外観部材３に対して継手部材５が回転することによる弾性部材４の回転を防止することができる。これにより、外観部材３の挿入穴３３と弾性部材４の吐水部４２との干渉を抑制することができ、これらの干渉による吐水部４２の噴射角度のずれを抑制することができる。
【００６０】
また、外観部材３の内部において位置規制部材７がスペーサとなり、継手部材５と弾性部材４とを密着させることができる。これにより、継手部材５と弾性部材４との間のシール性能を高めることができる。また、回転防止機構８の回転防止ピン８１と回転防止開口８２との位置関係を規制することで、回転防止機構８を確実に作用させることが可能となる。
【００６１】
また、弾性部材４に、吐水部４２の吐水口４３からの吐水態様を様々変更する機能部（流体素子ともいう）が設けられてもよい。
【００６２】
＜３．機能部の構造＞
次に、図５Ａおよび図５Ｂを参照して弾性部材４に設けられる機能部４４の構造の一例について説明する。図５Ａ〜図５Ｃは、機能部４４の説明図である。なお、図５Ａは、吐水部４２の模式的な斜視図である。また、図５Ｂには、図５ＡにおけるＢ−Ｂ断面を示し、図５Ｃには、図５ＡにおけるＣ−Ｃ断面を示している。
【００６３】
図５Ａ〜図５Ｃに示すように、吐水部４２の流路４２ａに設けられる機能部として、吐水部４２と一体に形成された湯水衝突部４４を備える。湯水衝突部４４は、吐水部４２の軸線Ｌ２（図４参照）の方向（軸方向）と直交する方向に延在するとともに流路４２ａの壁面の間に架設された梁部材であり、たとえば、吐水部４２の長手方向の断面形状が吐水部４２の先端側（吐水口４３側）に頂点を向けた二等辺三角形状に形成される。
【００６４】
図５Ｂに示すように、吐水部４２の流路４２ａに流れ込んだ湯水Ｗ２は、その大半が湯水衝突部４４に衝突する。流路４２ａを流れる湯水Ｗ２は、流路４２ａに流れ込んだ湯水Ｗ２が湯水衝突部４４に衝突することで、湯水衝突部４４の基端側（吐水口４３とは反対側）に交互に発生する渦（カルマン渦）Ｖ１，Ｖ２によって流れが変化する。この場合における吐水口４３から吐水される湯水Ｗ２は、波状の吐水態様で吐水される。
【００６５】
なお、たとえば、機能部（湯水衝突部）４４を有する弾性部材４に噴射角度をつけようとすると、製造において複雑化してしまう。
【００６６】
実施形態に係る筒状吐水装置１よれば、弾性部材４（吐水部４２）が機能部（湯水衝突部）４４を有することで、機能部構造の筒状吐水装置１を容易に製造することができるとともに、機能部（湯水衝突部）４４が弾性部材４（吐水部４２）に一体形成されることでさらに容易に製造することができる。
【００６７】
また、たとえば、弾性部材４（ベース部４１）が外観部材３の軸方向と直交する方向に凸状となるように湾曲している場合は、外観部材３の軸方向と直交する方向にも噴射角度がつくようになり、機能部（湯水衝突部）４４の発振が安定しないことがある。
【００６８】
実施形態に係る筒状吐水装置１よれば、面規制部材６の当接面が平坦面である場合は弾性部材４がとくに安定するため、弾性部材４（吐水部４２）が機能部（湯水衝突部）４４を有する場合、弾性部材４のベース部４１が外観部材３の軸方向以外の方向（たとえば、軸方向と直交する方向）に変形するのを抑制することができる。これにより、機能部（湯水衝突部）４４の発振を安定させることができ、機能部（湯水衝突部）４４を安定して機能させることができる。
【００６９】
なお、上記した実施形態では、吐水部４２が外観部材３の軸方向に広がるように傾斜しているが、機能部（湯水衝突部）４４の向きなどを調節すれば、たとえば、外観部材３の軸方向以外の方向（たとえば、軸方向と直交する方向）に広がるように傾斜させてもよい。なお、この場合は、弾性部材４のベース部４１の凸状の向きを９０度変更する。これにより、外観部材３の軸方向と直交する方向について吐水の範囲を広げることができる。
【００７０】
＜４．筒状吐水装置の製造方法＞
次に、図６Ａおよび図６Ｂを参照して筒状吐水装置１の製造方法（製造工程または組み立て工程ともいう）の一例について説明する。図６Ａおよび図６Ｂは、実施形態に係る筒状吐水装置１の製造工程の説明図である。
【００７１】
まず、図６Ａに示すように、回転防止ピン８１の取り付け工程（第１工程）を行う。第１工程では、継手部材５の回転防止係合部８３に回転防止ピン８１を取り付ける。次いで、弾性部材４、継手部材５および面規制部材６の取り付け工程（第２工程）を行う。第２工程では、継手部材５に、弾性部材４を取り付け、その後、弾性部材４を覆うように面規制部材６を取り付ける。
【００７２】
また、第２工程では、面規制部材６を取り付けることで、継手部材５に弾性部材４を仮固定する。また、第２工程では、面規制部材６を取り付けることで、弾性部材４の吐水部４２を面規制部材６の挿通穴６２に挿通する。
【００７３】
次いで、継手部材５の取り付け工程（第３工程）を行う。第３工程では、弾性部材４、面規制部材６が取り付けられた継手部材５を外観部材３の基端部側からこの外観部材３に挿入する。また、第３工程では、回転防止係合部８３に係合された回転防止ピン８１の突起を外観部材の回転防止開口８３に挿入する。これにより、外観部材３に対して継手部材５の軸まわりの回転を防止することができる。また、第３工程では、弾性部材４の吐水部４２を外観部材３の挿入穴３３に挿入する。
【００７４】
次いで、図６Ｂに示すように、位置規制部材７の組み立て工程（第４工程）を行う。第４工程では、位置規制部材７にＯリングなどの封止部材３２を介して蓋３１を取り付ける。次いで、位置規制部材７の取り付け工程（第５工程）を行う。第５工程では、位置規制部材７を外観部材３の先端部側からこの外観部材３に挿入する。これにより、外観部材３の先端部側の開口が蓋３１によって閉鎖される。また、位置規制部材７が外観部材３の内部の空間に配置されることで、継手部材５を外観部材３の内周面側に押し付けることができる。
【００７５】
また、第５工程は、弾性部材４のベース部４１を弾性変形させて、吐水部４２を傾斜させる工程でもある。第５工程では、湾曲形成されているベース部４１を継手部材５の押圧部５３で押し付けて、同じ向きに互いに平行となるように突出している吐水部４２を傾斜させる。これにより、吐水部４２に噴射角度をつけることができる。
【００７６】
上記した第１〜第５工程を行うことで、筒状吐水装置１が完成する。完成した筒状吐水装置１では、吐水口４３が外観部材３の軸方向に広がっている。なお、筒状吐水装置１を分解する場合は、上記した第１〜第５工程を逆から行えばよい。
【００７７】
実施形態に係る筒状吐水装置１の製造方法によれば、吐水部４２を傾斜させることで、吐水部４２に噴射角度がつくようになる。すなわち、外観部材３の形状（外観形状）を変更することなく、吐水部４２に噴射角度をつけることができる。すなわち、吐水部４２に噴射角度を付与しつつも外観のデザイン性の低下を防止することができる。
【００７８】
また、弾性部材４が外観部材３に配置されることで吐水部４２に噴射角度をつけることができるため、吐水部４２に噴射角度をつけるために外観部材３を加工する必要がなく、筒状吐水装置１全体として製造が容易となる。
【００７９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８０】
１    筒状吐水装置
２    シャワーホース
３    外観部材
４    弾性部材
５    継手部材
６    面規制部材
７    位置規制部材
８    回転防止機構
３１    蓋
３２    封止部材（Ｏリング）
３３    穴（挿入穴）
４１    ベース部
４１ａ  内周面側に押し付けられる面（第１の面）
４１ｂ  内周面側に押し付けられる面とは反対側の面（第２の面）
４２    吐水部
４２ａ  流路
４３    吐水口
４４    機能部（湯水衝突部）
５１    ホース接続部
５２    湯水流路部
５３    押圧部
５４    フィルタ部材
６１    当接面
６２    挿通穴
８１    ピン（回転防止ピン）
８２    開口（回転防止開口）
８３    係合部（回転防止係合部）
Ｌ１    外観部材の軸線
Ｌ２    吐水部の軸線
Ｗ１    湯水
Ｗ２    湯水
Ｖ１    渦
Ｖ２    渦
【図１】
2018110797.tif 000003
【図２】
2018110797.tif 000004
【図３】
2018110797.tif 000005
【図４】
2018110797.tif 000006
【図５Ａ】
2018110797.tif 000007
【図５Ｂ】
2018110797.tif 000008
【図５Ｃ】
2018110797.tif 000009
【図６Ａ】
2018110797.tif 000010
【図６Ｂ】
2018110797.tif 000011